(57)【特許請求の範囲】
【請求項１】
複数の長尺の割片を筒形断面に組み合わせてなる竹刀本体を備えた竹刀において、
その竹刀本体の柄部の長手方向に直交する断面形状を円形の筒状に設け、柄頭側の一側面を薄くなるようにほぼ扁平に形成して第一指掛け部を設けると共に、その柄頭より適宜寸法離れた前方の他側面を薄くなるようにほぼ扁平に形成して第二指掛け部を設けたことを特徴とする竹刀。
【請求項２】
前記竹刀本体が四つ割に形成されていて、前記柄頭の端面側から見て右側の割片に前記第一指掛け部を、左側の割片に第二指掛け部が設けられていることを特徴とする請求項１に記載の竹刀。
【請求項３】
複数の長尺の割片を筒形断面に組み合わせてなる竹刀本体を備えた竹刀において、
その竹刀本体の柄部の長手方向に直交する断面形状を円形の筒状に設け、柄頭側の一側面のみを薄くなるようにほぼ扁平に形成して指掛け部を設けたことを特徴とする竹刀。
【請求項４】
前記竹刀本体が四つ割に形成されていて、前記柄頭の端面側から見て右側の割片に指掛け部が設けられていることを特徴とする請求項３に記載の竹刀。
【発明の詳細な説明】
【技術分野】
【０００１】
本発明は、竹刀本体の柄部の形状を改良した竹刀に関する。
【背景技術】
【０００２】
竹刀は、複数の長尺の割片を筒形断面に組み合わせてなる竹刀本体を備え、竹刀本体の柄部に有底筒形状の柄革をきつめに装着すると共に刀身部の先端に先芯部材を嵌めてから先革を装着し、それら先革と柄革との間に弦を張ると共に当該弦に一端を係止した中結が先革寄りに巻き付けられている。柄部には、柄革の上から円形の鍔を嵌めて当該鍔が前後に移動しないように鍔止めゴム等で固定される。
【０００３】
全日本剣道連盟において、竹刀本体は竹又は化学製品のものとされており（規則第３条）、その構造が四つ割りのもの（細則第２条）、とされている（非特許文献１）。
【０００４】
従来の竹刀本体は、４本の割片を上下・左右に配置して各割片の側面を互いに密着するように組み合わせることにより、刀身部の長手方向に直交する断面形状を円形又は正方形の筒状に形成し、柄部の断面形状を円形又は楕円形の筒状に形成されている。剣道では、竹刀を素手で握り或いは小手を嵌めた状態で握って上下や斜め方向に振り上げ振り下ろして空間位置で瞬間的に止める素振り、相手の面、小手などの打突部位を打つ稽古や試合が行われる。竹刀は刀を想定していることから、弦が峰を表し弦の反対側が刃部として取り扱われている。ところで、初心者が円形の柄部を有する一般的な竹刀を使用した場合には、弦が上でなく横を向いた状態で稽古や試合が行われることがある。指導者はかかる状態で竹刀を中段若しくは下段で構え、或は打突しないように注意を促すように努めているようであるが、これを改めるのは修練を要するだろう。
【０００５】
特許文献１には、弦が上を向かない状態で使用したことを知ることができるとして、  刀身部から柄部にわたって竹刀本体の長手方向に直交する断面形状を扁平なリング形の筒状に形成した竹刀が開示されている。これによれば、弦が上を向いた正常な状態で竹刀を握ることはできると思われるが、このことは竹刀操作のごく基本的な技術にほかならない。
【０００６】
竹刀又は刀の柄を握ったときの握り方と力の入れ方のことを「手の内」と称し、剣道では重要な技術とされている。非特許文献２の「手の内」の項には、「左拳は、小指を柄頭いっぱいにかけて握り、小指・薬指は軽く締め、中指は締めず緩めず、軽く添える程度にする。右拳は、柄に軽く添えて持つ。両手の拇指が下方を向くように柔らかく鶏卵を握るつもりで柄を握り、両肘は張らず、すぼめず、自由自在に打突ができるようにすること。左拳と右拳の握り間隔は、ひと握り半とし、打った瞬間は左右の拇指を相手に向け、押し出すように締めることが大事である。」と記載されている。
【０００７】
要するに、打突時に小指・薬指を締めることにより手の内の冴えが生まれるが、これを習得することは容易ではなく、長年の厳しい修練を経た高段者でなければ到達しえないと言える高度な技術内容である。上述した楕円形の柄部を有する竹刀は、小指・薬指を締める動作が円形断面の柄部を有する竹刀に比べて行い易いとは考えられるが、必ずしも十分とは言えない。
【先行技術文献】
【特許文献】
【０００８】
【特許文献１】実用新案登録第３１８０３３５号公報
【非特許文献】
【０００９】
【非特許文献１】「剣道試合・審判規則」平成１１年４月、財団法人  全日本剣道連盟
【非特許文献２】「剣道の法則」堀籠 敬蔵  著、体育とスポーツ出版社
【発明の概要】
【発明が解決しようとする課題】
【００１０】
本発明の目的は、打突時の小指・薬指を締める動作が行い易く、中段若しくは下段に構えたときに弦が上を向いた正常な使用状態が得られる柄部の構造とし、剣技の向上に資することができる竹刀を提供することにある。
【課題を解決するための手段】
【００１１】
前記目的を達成するために請求項１に記載した発明は、複数の長尺の割片を筒形断面に組み合わせてなる竹刀本体を備えた竹刀において、
その竹刀本体の柄部の長手方向に直交する断面形状を円形の筒状に設け、柄頭側の一側面を薄くなるようにほぼ扁平に形成して第一指掛け部を設けると共に、その柄頭より適宜寸法離れた前方の他側面を薄くなるようにほぼ扁平に形成して第二指掛け部を設けたことを特徴とするものである。
【００１２】
同様の目的を達成するために請求項２に記載した発明は、請求項１に記載の竹刀において、前記竹刀本体が四つ割に形成されていて、前記柄頭の端面側から見て右側の割片に前記第一指掛け部を、左側の割片に第二指掛け部が設けられていることを特徴とするものである。
【００１３】
左手で第一指掛け部を握り右手で第二指掛け部を握るように柄部が設けられているので、打突時における小指・薬指を瞬間的に締める動作が行い易い。さらには、竹刀を中段若しくは下段に構えたときに弦が上を向いた正常な使用状態が得られ、正しい握り方で構えることが可能となる。
【００１４】
前記目的を達成するために請求項３に記載した発明は、複数の長尺の割片を筒形断面に組み合わせてなる竹刀本体を備えた竹刀において、
その竹刀本体の柄部の長手方向に直交する断面形状を円形の筒状に設け、柄頭側の一側面のみを薄くなるようにほぼ扁平に形成して指掛け部を設けたことを特徴とするものである。
【００１５】
一方の手（左手）で指掛け部を握るように柄部が設けられているので、打突時における小指・薬指を瞬間的に締める動作が行い易く、手の内の冴えを将来的に体得する感覚を養うことができる。さらには、竹刀を中段若しくは下段に構えたときに弦が上を向いた正常な使用状態が得られ、正しい握り方で構えることが可能となる。
【００１６】
同様の目的を達成するために請求項４に記載した発明は、請求項３に記載の竹刀において、前記竹刀本体が四つ割に形成されていて、前記柄頭の端面側から見て右側の割片に指掛け部が設けられていることを特徴とするものである。
【００１７】
左手で指掛け部を握るように柄部が設けられているので、打突時における小指・薬指を瞬間的に締める動作が行い易い。さらには、竹刀を中段若しくは下段に構えたときに弦が上を向いた正常な使用状態が得られ、正しい握り方で構えることが可能となる。
【発明の効果】
【００１８】
（請求項１の発明）
この竹刀は、左手で握られる第一指掛け部と右手で握られる第二指掛け部とを設けた柄部の構造を採用していることから、特に打突時における左拳及び右拳の小指・薬指を瞬間的に締める動作を行い易く、手の内の冴えを将来的に体得する感覚を養うことができて剣技の向上に資する。
【００１９】
加えて、竹刀を中段若しくは下段に構えたときに弦が上を向いた正常な使用状態が容易に得られ、正しい握り方で構えることが可能となるため初心者・中級者の稽古に有益である。
【図面の簡単な説明】
【００２０】
【図１】本発明に係る竹刀の側面図
【図２】本発明に係る第１実施形態の竹刀本体の平面図
【図３】柄頭の端面図
【図４】第一指掛け部の説明図
【図５】第二指掛け部の説明図
【発明を実施するための形態】
【００２１】
以下に、本発明の最良の形態例を図面に基づいて説明する。
【００２２】
（第１実施形態例）
図１に本発明に係る第１実施形態の竹刀Ａを示す。この竹刀Ａは、複数の長尺の竹製若しくは合成樹脂製割片を組み合わせた竹刀本体１を備え、竹刀本体の柄部４に有底筒形状の柄革１１をきつめに装着すると共に刀身部２の先端２ａにゴム製などの先芯部材（図示せず）を嵌めてから先革１２を装着し、それら先革１２と柄革１１との間に弦１３を張ると共に弦１３に一端を係止した中結１４を先革寄りに巻き付け、柄革１１の上から嵌めた鍔１５が前後に移動しないように鍔止めゴム１６で固定する構成とされている。
【００２３】
図３に示すように、竹刀本体１は、柄頭４ａの端面側から見て同一幅で四つ割に形成されていて、上側の割片５ａ、下側の割片５ｂ、右側の割片５ｃ、左側の割片５ｄの各々の側面を互いに密着するように組み合わせることにより、刀身部２の長手方向に直交する断面形状を円形又は正方形の筒状とすると共に柄部４の長手方向に直交する断面形状を円形の筒状に設けられている。
【００２４】
柄部４については、柄頭４ａ側の一側面たる右側の割片５ｃを薄くなるようにほぼ扁平に形成して第一指掛け部６を設け、柄頭４ａより適宜寸法、すなわち左拳と右拳の握り間隔であるひと握り半離れた前方位置の他側面たる左側の割片ｄを薄くなるようにほぼ扁平に形成して第二指掛け部７を設ける（図２、図４、図５）。
【００２５】
第一指掛け部６の長さは、左拳の小指を柄頭４ａいっぱいにかけて握ることができるのが好ましく、小指・薬指で握ることができる程度に設ける。また、第二指掛け部７については右拳で握られるが、第一指掛け部６と同様に小指・薬指をかけて握ることができる程度の長さに設けることが好ましい。
【００２６】
第一指掛け部６及び第二指掛け部７の長さと扁平に形成する深さについては、少年、中学生、一般とでは異なり竹刀本体の長さによって適宜定めるものとする。
【００２７】
因みに、竹刀の長さなどの基準（一刀の場合）については、「剣道試合・審判規則」の細則第２条に規定されている。例えば、中学生は、長さ１１４センチメートル以下、重さ４４０グラム以上（男性）、大学生・一般は、長さ１２０センチメートル以下、重さ５１０グラム以上（男性）、長さは柄革などの付属品を含む全長であり、重さは鍔を含まない。
【００２８】
以上により、複数の長尺の割片（５ａ〜５ｄ）を筒形断面に組み合わせた竹刀本体１の円形筒状の断面形状に設けられた柄部４に、柄頭４ａ側の右側の割片５ｃに左拳で握られる第一指掛け部６が設けられ、柄頭４ａより前方の左側の割片５ｄに右拳で握られる第二指掛け部７が設けられた本発明に係る第１実施形態の竹刀Ａが構成される。そして、かかる竹刀Ａによれば、上記指掛け部（６，７）が薄く設けられているため、特に打突時における左拳及び右拳の小指・薬指を瞬間的に締める動作を容易に行うことが可能となり、剣道で重要とされる手の内の冴えを将来的に体得する感覚を養うことができる。
【００２９】
（実施例）
小学生の使用する１０２センチメートル（３．４と称される）の竹刀本体と、一般の使用する１１７センチメートル（３．９と称される）竹刀本体について、第一指掛け部６と第二指掛け部７の長さと深さの寸法例を表１に示す。ここで、深さとは、割片５ｃ，５ｄの表面から切削加工（竹製の場合）された寸法をいうものとする。
【００３０】
【表１】
0005954903.tif 000002
【００３１】
（第２実施形態例）
本発明に係る第２実施形態の竹刀は、請求項３、請求項４の発明に関わるもので竹刀本体の柄部に前記第１実施形態の竹刀Ａにおける第一指掛け部６に相当する指掛け部を設けたものである。柄頭の端面側から見て右側の割片のみに指掛け部を設けた構成とされていて、その他の構成要件については前述の竹刀本体１の構成と同じであることから、説明を省略する。
【符号の説明】
【００３２】
Ａ・・・竹刀
１・・・竹刀本体
４・・・柄部
４ａ・・・柄頭
５ｃ・・・右側の割片
６・・・第一指掛け部
５ｄ・・・左側の割片
７・・・第二指掛け部
【図１】
0005954903.tif 000003
【図２】
0005954903.tif 000004
【図３】
0005954903.tif 000005
【図４】
0005954903.tif 000006
【図５】
0005954903.tif 000007